【手続補正書】
【提出日】平成28年6月27日(2016.6.27)
【手続補正１】
【補正対象書類名】特許請求の範囲
【補正対象項目名】全文
【補正方法】変更
【補正の内容】
【特許請求の範囲】
【請求項１】
少なくとも一つの電気接点を有する近位接続部を備える血管内装置であって、前記近位接続部が、第１径を有する第１セクションと、前記第１径未満の第２径を有する第２セクションを有する、血管内装置；及び
前記血管内装置の前記近位接続部に整合するように構成されるコネクターを備え、
前記コネクターが、
第１接続片；及び
少なくとも一つの電気接点が固定された第２接続片を含み、
開位置と閉位置の間で前記第１接続片に対して前記第２接続片が移動可能であり、前記開位置において、前記第１接続片のアライメント特徴部がフレキシブル長尺部材の近位接続部の第２セクションに係合するように、前記血管内装置の長手軸を横断する方向において前記血管内装置の前記近位接続部を受け入れるように前記第２接続片が構成される、血管内システム。
【請求項２】
前記フレキシブル長尺部材の前記近位接続部の前記第２セクションに対する前記第１接続片の前記アライメント特徴部の係合が、前記血管内装置の少なくとも一つの電気接点を、前記コネクターの前記少なくとも一つの電気接点に整列させる、請求項１に記載のシステム。
【請求項３】
前記閉位置において、前記血管内装置の前記少なくとも一つの電気接点が、前記コネクターの前記少なくとも一つの電気接点に電気的に結合される、請求項２に記載のシステム。
【請求項４】
前記コネクターが、前記閉位置に向かって前記第１及び第２接続片を付勢する付勢要素を更に含む、請求項１に記載のシステム。
【請求項５】
前記コネクターの前記第１接続片は、前記少なくとも一つの電気接点を含む前記近位接続部のセクションを受け入れるように大きさ及び形状が定められたリセスを含む、請求項１に記載のシステム。
【請求項６】
前記開位置において、前記コネクターの前記少なくとも一つの電気接点が、前記第１接続片の前記リセスから離間され、前記閉位置において前記第１接続片の前記リセスに亘って延びるように、前記コネクターの前記少なくとも一つの電気接点が前記第２接続片に固定される、請求項５に記載のシステム。
【請求項７】
前記コネクターの前記少なくとも一つの電気接点が、切開された櫛状の電気接点（split open comb electrical contact）を備える、請求項６に記載のシステム。
【請求項８】
前記血管内装置の前記少なくとも一つの電気接点が、３つの電気的接続部から構成される、請求項１に記載のシステム。
【請求項９】
前記血管内装置は、前記少なくとも一つの電気接点に電気的に結合された少なくとも一つの電子コンポーネントを更に含む、請求項１に記載のシステム。
【請求項１０】
前記血管内装置の前記少なくとも一つの電子コンポーネントは、圧力検出コンポーネントである、請求項１に記載のシステム。
【請求項１１】
前記血管内装置の前記少なくとも一つの電子コンポーネントが、血管内のイメージングコンポーネントである、請求項１に記載のシステム。
【請求項１２】
前記血管内イメージングコンポーネントが、超音波変換器及び光コヒーレンス・トモグラフィー（ＯＣＴ）イメージング素子の少なくとも一つを含む、請求項１１に記載のシステム。
【請求項１３】
前記第２接続片が、前記開及び閉位置の間で前記第１接続片に対して平行移動可能である、請求項１に記載のシステム。
【請求項１４】
前記第１接続片が、少なくとも一つの開口を含み、前記第２接続片が、前記第１接続片の前記少なくとも一つの開口に移動可能に係合する少なくとも一つの突起を含み、前記少なくとも一つの開口が、前記第２接続片に対する前記第１接続片の平行移動を案内する、請求項１３に記載のシステム。
【請求項１５】
前記第２接続片が、前記開及び閉位置の間で前記第１接続片に対して枢動可能である、請求項１に記載のシステム。
【請求項１６】
前記コネクターは、前記第２接続片が前記開位置と前記閉位置の間で動かされる時、前記血管内装置の表面から流体を除くように構成される少なくとも一つの要素を含む、請求項１に記載のシステム。
【請求項１７】
リセス及び前記リセスに隣接して位置づけられるアライメント特徴部を有する第１接続片であって、前記リセスのサイズ及び形状が、血管内装置の近位接続部を受け入れるように定められ、前記アライメント特徴部が、減じられた径を有する前記近位接続部のセクションに係合するように構成される、第１接続片；
前記第１接続片に移動可能に結合される第２接続片；及び
前記第２接続片に固定された少なくとも一つの電気接点を備え、
前記第２接続片が開位置と閉位置の間で前記第１接続片に対して移動可能であり、
前記開位置において、前記第２接続片が前記第１接続片の前記リセスから離間され、前記血管内装置の長手軸を横断する方向において前記血管内装置の前記近位接続部の前記リセスへの挿入が許容され、前記閉位置において、前記少なくとも一つの電気接点が前記第１接続片の前記リセスを少なくとも部分的に亘って延びるように前記第２接続片が位置づけられる、血管内装置のためのコネクター。
【請求項１８】
前記閉位置に向かって前記第１及び第２接続片を付勢する付勢要素を更に備える、請求項１７に記載のコネクター。
【請求項１９】
前記少なくとも一つの電気接点が、切開された櫛状の電気接点を備える、請求項１７に記載のコネクター。
【請求項２０】
前記第２接続片が、前記開及び閉位置の間で前記第１接続片に対して平行移動可能である、請求項１７に記載のコネクター。
【請求項２１】
前記第２接続片が、前記開及び閉位置の間で前記第１接続片に対して枢動可能である、請求項１７に記載のコネクター。
【請求項２２】
前記第２接続片が前記開位置と前記閉位置の間で動かされる時、前記血管内装置の前記近位接続部の表面から流体を除くように構成される少なくとも一つの要素を更に備える、請求項１７に記載のコネクター。
【請求項２３】
第１コンポーネント、第２コンポーネント、及び少なくとも一つの電気接点を有するコネクターを提供し；
前記コネクターの前記第２コンポーネントの細長い開口が露出するように前記コネクターを開位置に移動し；
第２接続片のアライメント特徴部が、第１セクションに隣接する接続部の第２セクションよりも小さい径を有する前記接続部の前記第１セクションに係合するように、血管内装置の長手軸を横断する方向において前記血管内装置の接続部を細長い開口に挿入し；及び
前記血管内装置の前記接続部の少なくとも一つの電気接点に前記コネクターの前記少なくとも一つの電気接点を電気的に結合するように閉位置に前記コネクターを動かす、方法。
【請求項２４】
前記接続部の前記第１セクションとの前記第２接続片の前記アライメント特徴部の係合が、前記血管内装置の前記接続部の前記少なくとも一つの電気接点を前記コネクターの前記少なくとも一つの電気接点に配列させる、請求項２３に記載の方法。
【請求項２５】
前記血管内装置の前記接続部の前記少なくとも一つの電気接点は、前記血管内装置の遠位部に位置づけられた電子コンポーネントに電気的に接続される、請求項２３に記載の方法。
【請求項２６】
前記閉位置に前記コネクターを動かすことが、前記血管内装置の表面に亘って要素を通過させ、表面から流体を除去する、請求項２３に記載の方法。
【請求項２７】
前記血管内装置の前記接続部が、少なくとも２つの電気接点を含み、前記血管内装置の表面が、前記少なくとも２つの電気接点の２つの間に位置付けられた非導電性材料の表面である、請求項２６に記載の方法。